(57)【要約】【課題】１枚のフィルターをデジタルカメラのレンズ鏡筒前面に装着して使用し、画像に色の濃さや明るさ（輝度）を連続的に変化させて表現できるグラデーション加工を施した新しい減光フィルターを提供する。【解決手段】光軸を中心に寸法的に二等分した円形フィルターレンズ基板１、該フィルターレンズ基板の片側面に光軸方向に向かって黒色２ａから灰色３ａ、中灰色４ａ、淡灰色５ａへと連続的に濃度を変えた着色、または金属蒸着被膜の厚さを徐々に薄く付着させる手法にて光の透過量を調整可能なグラデーション加工を施し、前記二等分した円形フィルターレンズ基板の片側半分は光の素通し部分６として着色や蒸着被膜を施さない構成のデジタルカメラ用の減光フィルター。  【選択図】図１
0003189042.tif 000002
【実用新案登録請求の範囲】
【請求項１】
光軸を中心に寸法的に二等分した円形フィルターレンズ基板、該円形フィルターレンズ基板の片側面に光軸方向に向かって黒色から灰色、中灰色、淡灰色へと連続的に濃度を変えるグラデーション着色加工を円形フィルターレンズ基板上にインクジェット印刷を用いて行い、または光軸を中心に寸法的に二等分した円形フィルターレンズ基板の片側面に光軸方向に向かって金属蒸着被膜の厚さを蒸着被覆膜厚い部分、蒸着被覆少し薄い部分、蒸着被覆より少し薄い部分、蒸着被覆極めて薄い部分と徐々に薄く付着させて光の透過量を調整可能なグラデーション加工を真空蒸着装置等を用いて行い、前記二等分した円形フィルターレンズ基板の片側半分は光の素通し部分として着色や蒸着被膜を施さないことを特徴とするデジタルカメラ用の減光フィルター。
【請求項２】
垂直或いは水平方向で略三等分した円形フィルターレンズ基板、該円形フィルターレンズ基板の片側面の三分の一の基板には光軸方向に向かって黒色から灰色、中灰色、淡灰色へと連続的に濃度を変えるグラデーション着色加工を円形フィルターレンズ基板上にインクジェット印刷を用いて行い、または垂直或いは水平方向で光軸を中心に寸法的に略三等分した円形フィルターレンズ基板の片側面の三分の一の基板には光軸方向に向かって金属蒸着被膜の厚さを蒸着被覆膜厚い部分、蒸着被覆少し薄い部分、蒸着被覆より少し薄い部分、蒸着被覆極めて薄い部分と徐々に薄く付着させて光の透過量を調整可能なグラデーション加工を真空蒸着装置等を用いて行い、前記三等分した円形フィルターレンズ基板の三分の二は光の素通し部分として着色や蒸着被膜を施さないことを特徴とするデジタルカメラ用の減光フィルター。
【請求項３】
垂直或いは水平方向で略三等分した円形フィルターレンズ基板、該円形フィルターレンズ基板の片側面の三分の二の基板には光軸方向に向かって黒色から灰色、中灰色、淡灰色へと連続的に濃度を変えるグラデーション着色加工を円形フィルターレンズ基板上にインクジェット印刷を用いて行い、または垂直或いは水平方向で光軸を中心に寸法的に略三等分した円形フィルターレンズ基板の片側面の三分の二の基板には光軸方向に向かって金属蒸着被膜の厚さを蒸着被覆膜厚い部分、蒸着被覆少し薄い部分、蒸着被覆より少し薄い部分、蒸着被覆極めて薄い部分と徐々に薄く付着させて光の透過量を調整可能なグラデーション加工を真空蒸着装置等を用いて行い、前記三等分した円形フィルターレンズ基板の三分の一は光の素通し部分として着色や蒸着被膜を施さないことを特徴とするデジタルカメラ用の減光フィルター。
【請求項４】
前記連続的に濃度を変えるグラデーション着色加工や光の透過量を調整可能なグラデーション加工を施した円形フィルターレンズ基板はデジタルカメラのレンズ鏡筒前面において着脱可能な二重枠タイプのフィルター枠内に装着され、該フィルター枠は前記円型フィルターレンズ基板を内蔵する前枠とレンズ鏡筒への装着用後枠からなり、該円形フィルターレンズ基板を内蔵する前枠はデジタルカメラのレンズ鏡筒前面に装着用後枠を装着した後に前枠を回転させグラデーション加工位置の角度を変えて使用することを特徴とする請求項１乃至請求項３のいずれかに記載のデジタルカメラ用の減光フィルター。
【考案の詳細な説明】
【技術分野】
【０００１】
本考案は、一眼レフデジタルカメラ用に開発された減光フィルターに関するものである。
【０００２】
減光フィルターとは、ＮＤ（Ｎｅｕｔｒａｌ  Ｄｅｎｓｉｔｙ）フィルターとも云われ、あらゆる色彩に対して影響を与えず光の量だけを減少する光量フィルターである。従って、従来のフイルム式カメラにおいては、明るい場所や、高感度フイルムを使っているときも、絞りやシャッタースピードを思いの数値にセットして撮影可能なフィルターであり、ＮＤフィルターは黒色の濃さと度合いにより、減光フィルターＮＤ２、減光フィルターＮＤ４、減光フィルターＮＤ８、そして、大光量を調整できる減光フィルターＮＤ４００があった。
【０００３】
また、１眼レフデジタルカメラが普及してきた最近でも、減光フィルターＮＤ２、減光フィルターＮＤ４、減光フィルターＮＤ８、そして、大光量を調整できる減光フィルターＮＤ４００はデジタルカメラ用としても使用されてきている。
【０００４】
而して、本考案は、一眼レフデジタルカメラにおいて使用して、画像に色の濃さや明るさ（輝度）を部分的に変化させて表現可能なグラデーション加工を施した新しい減光フィルターを提供するものである。
【背景技術】
【０００５】
一眼レフデジタルカメラにおいて、光学信号である画像を電気信号に変換する撮像素子（光学センサ）は、ＣＣＤイメージセンサかＣＭＯＳイメージセンサが用いられており、該撮像素子で撮影した画像をデジタルデータとして記録するものがデジタルカメラであり、近時、特に撮像素子の進展は、微細な光信号までを高感度で正確にデジタルデータとして捉えられるようになってきた。
【０００６】
従って、本考案においては、１枚のフィルターを一眼レフデジタルカメラのレンズ鏡筒前面に装着して使用し、画像に色の濃さや明るさ（輝度）を部分的に変化させて表現可能なグラデーション加工を施した新しい減光フィルターを提供する試みがなされた。
【考案の概要】
【考案が解決しようとする課題】
【０００７】
本考案の課題は、一眼レフデジタルカメラにおいて、光学信号である画像を電気信号に変換する撮像素子（光学センサ）は、ＣＣＤイメージセンサかＣＭＯＳイメージセンサを搭載して高感度になり微細な光信号までを正確にデジタルデータとして捉えられるようになってきた点に注目してなされたものであり、１枚のフィルターを一眼レフデジタルカメラのレンズ鏡筒前面に装着して使用し、画像に色の濃さや明るさ（輝度）を連続的に変化させて表現できるグラデーション加工を施した新しい減光フィルターを提供するものである。
【課題を解決するための手段】
【０００８】
本考案は、光軸を中心に寸法的に二等分した円形フィルターレンズ基板、該円形フィルターレンズ基板の片側面に光軸方向に向かって黒色から灰色、中灰色、淡灰色へと連続的に濃度を変えるグラデーション着色加工を円形フィルターレンズ基板上にインクジェット印刷を用いて行い、または光軸を中心に寸法的に二等分した円形フィルターレンズ基板の片側面に光軸方向に向かって金属蒸着被膜の厚さを蒸着被覆膜厚い部分、蒸着被覆少し薄い部分、蒸着被覆より少し薄い部分、蒸着被覆極めて薄い部分と徐々に薄く付着させて光の透過量を調整可能なグラデーション加工を真空蒸着装置等を用いて行い、前記二等分した円形フィルターレンズ基板の片側半分は光の素通し部分として着色や蒸着被膜を施さない構成となし、前記グラデーション加工を施した部分にて光の透過量を調整できるデジタルカメラ用の減光フィルターを提供するものである。
【０００９】
また、本考案は、垂直或いは水平方向で略三等分した円形フィルターレンズ基板、該円形フィルターレンズ基板の片側面の三分の一の基板には光軸方向に向かって黒色から灰色、中灰色、淡灰色へと連続的に濃度を変えるグラデーション着色加工を円形フィルターレンズ基板上にインクジェット印刷を用いて行い、または垂直或いは水平方向で光軸を中心に寸法的に略三等分した円形フィルターレンズ基板の片側面の三分の一の基板には光軸方向に向かって金属蒸着被膜の厚さを蒸着被覆膜厚い部分、蒸着被覆少し薄い部分、蒸着被覆より少し薄い部分、蒸着被覆極めて薄い部分と徐々に薄く付着させて光の透過量を調整可能なグラデーション加工を真空蒸着装置等を用いて行い、前記三等分した円形フィルターレンズ基板の三分の二は光の素通し部分として着色や蒸着被膜を施さない構成となし、前記グラデーション加工を施した部分にて光の透過量を調整できるデジタルカメラ用の減光フィルターを提供するものである。
【００１０】
更に、本考案は、垂直或いは水平方向で略三等分した円形フィルターレンズ基板、該円形フィルターレンズ基板の片側面の三分の二の基板には光軸方向に向かって黒色から灰色、中灰色、淡灰色へと連続的に濃度を変えるグラデーション着色加工を円形フィルターレンズ基板上にインクジェット印刷を用いて行い、または垂直或いは水平方向で光軸を中心に寸法的に略三等分した円形フィルターレンズ基板の片側面の三分の二の基板には光軸方向に向かって金属蒸着被膜の厚さを蒸着被覆膜厚い部分、蒸着被覆少し薄い部分、蒸着被覆より少し薄い部分、蒸着被覆極めて薄い部分と徐々に薄く付着させて光の透過量を調整可能なグラデーション加工を真空蒸着装置等を用いて行い、前記三等分した円形フィルターレンズ基板の三分の一は光の素通し部分として着色や蒸着被膜を施さない構成となし、前記グラデーション加工を施した部分にて光の透過量を調整できるデジタルカメラ用の減光フィルターを提供するものである。
【００１１】
斯して、本考案において、上記光の透過量を調整するグラデーション加工を施した円形フィルターレンズ基板は、デジタルカメラのレンズ鏡筒前面において着脱可能な二重枠タイプのフィルター枠内に装着され、該フィルター枠は前記円型フィルターレンズ基板を内蔵する前枠とレンズ鏡筒への装着用後枠からなり、該円形フィルターレンズ基板を内蔵する前枠はデジタルカメラのレンズ鏡筒前面に装着用後枠を装着した後に前枠を回転させグラデーション加工位置の角度を変えて使用するデジタルカメラ用の減光フィルターを提供するものである。
【００１２】
本考案において、円形フィルターレンズ基板に施される黒色から灰色、淡灰色へと連続的に濃度を変える着色は、円形フィルターレンズ基板上にインクジェット印刷を用いて行うことを特徴としている。
【００１３】
また、本考案において、円形フィルターレンズ基板に施される金属蒸着被膜の厚さを徐々に薄く付着させる手法は、真空蒸着法、スパッタリング法などの蒸着被膜形成法を用いて行うことを特徴としている。
【考案の効果】
【００１４】
而して、本考案は、一眼レフデジタルカメラにおいて光学信号である画像を電気信号に変換する撮像素子（光学センサ）はＣＣＤイメージセンサかＣＭＯＳイメージセンサがより高感度になり、微細な光信号までを正確にデジタルデータとして捉えられるようになってきた点を最大限に利用したもので、１枚のフィルターを一眼レフデジタルカメラのレンズ鏡筒前面に装着して使用し、画像に色の濃さや明るさ（輝度）を連続的に変化させて表現できる新しい減光フィルターを提供することができた。
【図面の簡単な説明】
【００１５】
【図１】（Ａ）本考案の実施例１を示す減光フィルターの正面図である。       （Ｂ）本考案の実施例２を示す減光フィルターの正面図である。       （Ｃ）本考案の実施例３を示す減光フィルターの正面図である。
【図２】（Ａ）本考案に使用する二重枠タイプのフィルター枠の一例を示す組立図である。       （Ｂ）本考案に使用する二重枠タイプのフィルター枠の要部断面図である。
【図３】本考案に使用する真空蒸着装置の説明図である。
【考案を実施するための形態】
【００１６】
本考案の目的は、一眼レフデジタルカメラにおいて光学信号である画像を電気信号に変換する撮像素子（光学センサ）は、ＣＣＤイメージセンサかＣＭＯＳイメージセンサを搭載して高感度になり、微細な光信号までを正確にデジタルデータとして捉えられるようになってきた点に注目してなされたものであり、１枚のフィルターを一眼レフデジタルカメラのレンズ鏡筒前面に装着して使用し、画像に色の濃さや明るさ（輝度）を連続的に変化させて表現できるグラデーション加工を施した新しい減光フィルターを提供するものである。
【００１７】
本考案は、光軸を中心に寸法的に二等分した円形フィルターレンズ基板、該フィルターレンズ基板の片側面に光軸方向に向かって黒色から灰色、中灰色、淡灰色へと連続的に濃度を変えた着色、または金属蒸着被膜の厚さを徐々に薄く付着させる手法にて光の透過量を調整可能なグラデーション加工を施し、前記二等分した円形フィルターレンズ基板の片側半分は光の素通し部分として着色や蒸着被膜を施さない構成となし、前記グラデーション加工を施した部分にて光の透過量を調整できるデジタルカメラ用の減光フィルターを提供するものである。
【００１８】
上記、フィルターレンズ基板の片側面に光軸方向に向かって黒色から灰色、中灰色、淡灰色へと連続的に濃度を変えた着色をする方法は、最近大手印刷会社が夫々開発しているインクジェット印刷を用いて行えば表面が凹凸形状のフィルターレンズ面にも連軸的に濃度を変えた着色やカラー着色が容易におこなうことができ本考案が必要とするフィルターレンズ基板を得ることは可能である。
【００１９】
また、フィルターレンズ基板の片側面に光軸方向に向かって、金属蒸着被膜の厚さを徐々に薄く付着させる手法は、真空蒸着法、スパッタリング法などの蒸着被膜形成法を用いて行うことができる。
【００２０】
真空蒸着法は真空中で被覆したい材料を加熱蒸発させ、その蒸気をフィルターレンズ基板の表面に凝結させて金属被膜とするもので、同様の手法として原子、分子、或いはイオンを被覆材料に衝突させる現象を起こさせ、該衝突によって放出される粒子をフィルターレンズ基板の表面に付着させて金属皮膜を形成するスパッタリング法が利用できる。
【００２１】
そして、本考案のフィルターレンズ基板に蒸着される金属材料は、光学特性を有する酸化珪素、二酸化チタン、酸化亜鉛、フッ化マグネシュムなどの酸化物やフッ化物を使用することができ、該金属材料を蒸着する際に蒸着被膜の厚さを徐々に薄く付着するように加工することは容易に行えることである。
【００２２】
斯して、本考案の実施例においては、光軸を中心に寸法的に二等分した円形フィルターレンズ基板、該円形フィルターレンズ基板の片側面に光軸方向に向かって黒色から灰色、中灰色、淡灰色へと連続的に濃度を変えるグラデーション着色加工を円形フィルターレンズ基板上にインクジェット印刷を用いて行い、または光軸を中心に寸法的に二等分した円形フィルターレンズ基板の片側面に光軸方向に向かって金属蒸着被膜の厚さを蒸着被覆膜厚い部分、蒸着被覆少し薄い部分、蒸着被覆より少し薄い部分、蒸着被覆極めて薄い部分と徐々に薄く付着させて光の透過量を調整可能なグラデーション加工を真空蒸着装置等を用いて行い、前記二等分した円形フィルターレンズ基板の片側半分は光の素通し部分として着色や蒸着被膜を施さない構成となし、前記グラデーション加工を施した部分にて光の透過量を調整できるデジタルカメラ用の減光フィルターであることが好ましい。
【００２３】
また、本考案の他の実施例では、垂直或いは水平方向で略三等分した円形フィルターレンズ基板、該円形フィルターレンズ基板の片側面の三分の一の基板には光軸方向に向かって黒色から灰色、中灰色、淡灰色へと連続的に濃度を変えるグラデーション着色加工を円形フィルターレンズ基板上にインクジェット印刷を用いて行い、または垂直或いは水平方向で光軸を中心に寸法的に略三等分した円形フィルターレンズ基板の片側面の三分の一の基板には光軸方向に向かって金属蒸着被膜の厚さを蒸着被覆膜厚い部分、蒸着被覆少し薄い部分、蒸着被覆より少し薄い部分、蒸着被覆極めて薄い部分と徐々に薄く付着させて光の透過量を調整可能なグラデーション加工を真空蒸着装置等を用いて行い、前記三等分した円形フィルターレンズ基板の三分の二は光の素通し部分として着色や蒸着被膜を施さない構成となし、前記グラデーション加工を施した部分にて光の透過量を調整できるデジタルカメラ用の減光フィルターであることが好ましい。
【００２４】
更に、本考案は、垂直或いは水平方向で略三等分した円形フィルターレンズ基板、該円形フィルターレンズ基板の片側面の三分の二の基板には光軸方向に向かって黒色から灰色、中灰色、淡灰色へと連続的に濃度を変えるグラデーション着色加工を円形フィルターレンズ基板上にインクジェット印刷を用いて行い、または垂直或いは水平方向で光軸を中心に寸法的に略三等分した円形フィルターレンズ基板の片側面の三分の二の基板には光軸方向に向かって金属蒸着被膜の厚さを蒸着被覆膜厚い部分、蒸着被覆少し薄い部分、蒸着被覆より少し薄い部分、蒸着被覆極めて薄い部分と徐々に薄く付着させて光の透過量を調整可能なグラデーション加工を真空蒸着装置等を用いて行い、前記三等分した円形フィルターレンズ基板の三分の一は光の素通し部分として着色や蒸着被膜を施さない構成となし、前記グラデーション加工を施した部分にて光の透過量を調整できるデジタルカメラ用の減光フィルターであることが好ましい。
【００２５】
そして、本考案における光の透過量を調整するグラデーション加工を施した円形フィルターレンズ基板は、デジタルカメラのレンズ鏡筒前面に着脱可能な二重枠タイプのフィルター枠内に装着され、該フィルター枠は円型フィルターレンズ基板を内蔵する前枠とレンズ鏡筒への装着用後枠からなり、該円形フィルターレンズ基板を内蔵する前枠はデジタルカメラのレンズ鏡筒前面に後枠を装着した後に前枠を回転させグラデーション加工位置の角度を変えて使用することにより従来のＮＤフィルターではできなかったグラデーション画像が得られるデジタルカメラ用の減光フィルターを提供するものである。
【実施例１】
【００２６】
図１（Ａ）は本考案の実施例１を説明するものであり、図１（Ａ）において、１は円形フィルターレンズ基板、２ａは円形フィルターレンズ基板を例えば黒色に着色した部分、３ａは灰色に着色した部分、４ａは中灰色に着色した部分、５ａは淡灰色に着色した部分であり、６はフィルターレンズ基板の素通し部分（加工なし部分）である。
【００２７】
而して、実施例１は、円形フィルターレンズ基板１の中心部となる光軸Ｃを中心に垂直方向に寸法的に二等分した円形フィルターレンズ基板１を有し、該フィルターレンズ基板１の二等分した片側面に光軸Ｃ方向に向かって黒色から灰色、中灰色、淡灰色へと連続的に濃度を段階的に変えたり、或いは少しずつ濃度を連続的に変える着色をインクジェット印刷により行いデジタルカメラ用の減光フィルターにおける円型フィルターレンズ基板を形成する。
【００２８】
上記黒色から灰色、中灰色、淡灰色へと連続的に濃度を変えた着色をする方法は、最近大手印刷会社が夫々開発しているインクジェット印刷を用いて行えば表面が凹レンズや、凸レンズ形状のフィルターレンズ基板１面にも連軸的に濃度を変えた着色やカラー着色が容易におこなうことができ、実施例１が必要とするフィルターレンズ基板１を得ることができるものであり、実施例１においては、円形フィルターレンズ基板１を黒色に着色した部分２ａ、灰色に着色した部分３ａ、中灰色に着色した部分４ａ、淡灰色に着色した部分５ａを例に説明したが、カラーはいかような色でも可能であり、該カラーの濃淡で光の透過量を調整できることが重要である。
【００２９】
また、図３は、実施例１におけるフィルターレンズ基板１に金属蒸着被膜を形成するための真空蒸着装置を説明するものであり、図３において、７は真空蒸着装置本体、８は真空蒸着装置本体内を高真空にするための真空ポンプ、９はバッフル、１０は蒸着材料用のルツボ、１１はスリットタイプのシャッター、１２は円型フィルターレンズ基板１のホルダーで、該ホルダー１２は円型フィルターレンズ基板１の速度を調整しながら矢印方向に移動することができる。
【００３０】
斯くして、上述した真空蒸着装置は、真空中で被覆したい材料を蒸着材料用ルツボ１０にて加熱蒸発させ、その蒸気を円型フィルターレンズ基板１の表面に凝結させて金属被膜とするもので、実施例１は、円形フィルターレンズ基板１の中心部となる光軸Ｃを中心に垂直方向に寸法的に二等分した円形フィルターレンズ基板１を有し、該フィルターレンズ基板１の二等分した片側面に光軸Ｃ方向に向かって金属蒸着被膜の厚さを２ｂ蒸着被膜厚い部分、３ｂ蒸着被膜少し薄い部分、４ｂ蒸着被膜より少し薄い部分、５ｂ蒸着被膜極めて薄い部分と徐々に薄く付着させて、片側半分はフィルターレンズ基板の素通し部分６（加工なし部分）を形成する手法にて光の透過量を調整可能なグラデーション加工を施すものである。
【００３１】
そして、本考案の円型フィルターレンズ基板１に蒸着される金属材料は、光学特性を有する酸化珪素、二酸化チタン、酸化亜鉛、フッ化マグネシュムなどの酸化物やフッ化物を使用することができ、該金属材料を蒸着する際に蒸着被膜の厚さを徐々に薄く付着するように加工することはスリットタイプのシャッター１１や円型フィルターレンズ基板１の可動速度調整にて容易に行えることであり、また、真空蒸着装置に替わってスパッタリング法などの蒸着被膜形成法を用いて行うことも可能である。
【実施例２】
【００３２】
図１（Ｂ）は本考案の実施例２を説明するものであり、図１（Ｂ）において、１は円形フィルターレンズ基板、２ａは円形フィルターレンズ基板を例えば黒色に着色した部分、３ａは灰色に着色した部分、４ａは中灰色に着色した部分、５ａは淡灰色に着色した部分であり、６はフィルターレンズ基板の素通し部分（加工なし部分）である。
【００３３】
而して、実施例２は、円形フィルターレンズ基板１を垂直方向や水平方向に略三等分した円形フィルターレンズ基板１を有し、該フィルターレンズ基板１の三分の一の片側面には光軸Ｃ方向に向かって黒色から灰色、中灰色、淡灰色へと連続的に濃度を段階的に変えたり、或いは少しずつ濃度を連続的に変える着色をインクジェット印刷により行いデジタルカメラ用の減光フィルターにおける円型フィルターレンズ基板を形成する。
【００３４】
上記黒色から灰色、中灰色、淡灰色へと連続的に濃度を変えた着色をする方法は、最近大手印刷会社が夫々開発しているインクジェット印刷を用いて行えば表面が凹レンズや、凸レンズ形状のフィルターレンズ基板１面にも連軸的に濃度を変えた着色やカラー着色が容易におこなうことができ、実施例２が必要とするフィルターレンズ基板１を得ることができるものであり、実施例２においては、円形フィルターレンズ基板１を黒色に着色した部分２ａ、灰色に着色した部分３ａ、中灰色に着色した部分４ａ、淡灰色に着色した部分５ａを例に説明したが、カラーは如何様な色でも可能であり、該カラーの濃淡で光の透過量を調整できることが重要である。
【００３５】
また、図３は、実施例２におけるフィルターレンズ基板１に金属蒸着被膜を形成するための真空蒸着装置を説明するものであり、図３において、７は真空蒸着装置本体、８は真空蒸着装置本体内を高真空にするための真空ポンプ、９はバッフル、１０は蒸着材料用のルツボ、１１はスリットタイプのシャッター、１２は円型フィルターレンズ基板１のホルダーで、該ホルダー１２は円型フィルターレンズ基板１の速度を調整しながら矢印方向に移動することができる。
【００３６】
斯くして、上述した真空蒸着装置は、真空中で被覆したい材料を蒸着材料用ルツボ１０にて加熱蒸発させ、その蒸気を円型フィルターレンズ基板１の表面に凝結させて金属被膜とするもので、実施例２は、円形フィルターレンズ基板１の中心部となる光軸Ｃを中心に垂直方向に寸法的に三等分した円形フィルターレンズ基板１を有し、該フィルターレンズ基板１において三分の一の面に光軸Ｃ方向に向かって金属蒸着被膜の厚さを２ｂ蒸着被膜厚い部分、３ｂ蒸着被膜少し薄い部分、４ｂ蒸着被膜より少し薄い部分、５ｂ蒸着被膜極めて薄い部分と徐々に薄く付着させて、三分の二はフィルターレンズ基板の素通し部分６（加工なし部分）を形成する手法にて光の透過量を調整可能なグラデーション加工を施すものである。
【００３７】
そして、本考案の円型フィルターレンズ基板１に蒸着される金属材料は、光学特性を有する酸化珪素、二酸化チタン、酸化亜鉛、フッ化マグネシュムなどの酸化物やフッ化物を使用することができ、該金属材料を蒸着する際に蒸着被膜の厚さを徐々に薄く付着するように加工することは、スリットタイプのシャッター１１や円型フィルターレンズ基板１の可動速度調整にて容易に行えるものであり、また、真空蒸着装置に替わってスパッタリング法などの蒸着被膜形成法を用いて行うことも可能である。
【実施例３】
【００３８】
図１（Ｃ）は本考案の実施例３を説明するものであり、図１（Ｃ）において、１は円形フィルターレンズ基板、２ａは円形フィルターレンズ基板を例えば黒色に着色した部分、３ａは灰色に着色した部分、４ａは中灰色に着色した部分、５ａは淡灰色に着色した部分であり、６はフィルターレンズ基板の素通し部分（加工なし部分）である。
【００３９】
而して、実施例３は、円形フィルターレンズ基板１を垂直方向や水平方向に略三等分した円形フィルターレンズ基板１を有し、該フィルターレンズ基板１の三分の二の片側面には、該三分の一の方向に向かって黒色から灰色、中灰色、淡灰色へと連続的に濃度を段階的に変えたり、或いは少しずつ濃度を連続的に変える着色をインクジェット印刷により行いデジタルカメラ用の減光フィルターにおける円型フィルターレンズ基板を形成する。
【００４０】
上記黒色から灰色、中灰色、淡灰色へと連続的に濃度を変えた着色をする方法は、最近大手印刷会社が夫々開発しているインクジェット印刷を用いて行えば表面が凹レンズや、凸レンズ形状のフィルターレンズ基板１面にも連軸的に濃度を変えた着色やカラー着色が容易におこなうことができ、実施例３が必要とするフィルターレンズ基板１を得ることができるものであり、実施例３においては、円形フィルターレンズ基板１を黒色に着色した部分２ａ、灰色に着色した部分３ａ、中灰色に着色した部分４ａ、淡灰色に着色した部分５ａを例に説明したが、カラーは如何様な色でも可能であり、該カラーの濃淡で光の透過量を調整できることが重要である。
【００４１】
また、図３は、実施例３におけるフィルターレンズ基板１に金属蒸着被膜を形成するための真空蒸着装置を説明するものであり、図３において、７は真空蒸着装置本体、８は真空蒸着装置本体内を高真空にするための真空ポンプ、９はバッフル、１０は蒸着材料用のルツボ、１１はスリットタイプのシャッター、１２は円型フィルターレンズ基板１のホルダーで、該ホルダー１２は円型フィルターレンズ基板１の速度を調整しながら矢印方向に移動することができる。
【００４２】
斯くして、上述した真空蒸着装置は、真空中で被覆したい材料を蒸着材料用ルツボ１０にて加熱蒸発させ、その蒸気を円型フィルターレンズ基板１の表面に凝結させて金属被膜とするもので、実施例３は、円形フィルターレンズ基板１を三等分した円形フィルターレンズ基板１を有し、該フィルターレンズ基板１において三分の二の部分に金属蒸着被膜の厚さを２ｂ蒸着被膜厚い部分、３ｂ蒸着被膜少し薄い部分、４ｂ蒸着被膜より少し薄い部分、５ｂ蒸着被膜極めて薄い部分と徐々に薄く付着させて、片側部分はフィルターレンズ基板の素通し部分６（加工なし部分）を形成する手法にて光の透過量を調整可能なグラデーション加工を施すものである。
【００４３】
そして、本考案の円型フィルターレンズ基板１に蒸着される金属材料は、光学特性を有する酸化珪素、二酸化チタン、酸化亜鉛、フッ化マグネシュムなどの酸化物やフッ化物を使用することができ、該金属材料を蒸着する際に蒸着被膜の厚さを徐々に薄く付着するように加工することはスリットタイプのシャッター１１や円型フィルターレンズ基板１の可動速度調整にて容易に行えるもので、真空蒸着装置に替わってスパッタリング法などの蒸着被膜形成法を用いて行うことも可能である。
【００４４】
斯くして、上述した実施例１乃至実施例３において形成された円型フィルターレンズ基板１は図２（Ａ）、図２（Ｂ）に示したフィルター枠に内蔵されデジタルカメラのレンズ鏡筒前面に装着されて利用されるものである。図２（Ａ）はフィルター枠の組み立て図、図２（Ｂ）は組み立てたフィルター枠の要部断面図を示すものであり、１３はフィルター枠、１４は円型フィルターレンズ基板１を内蔵する前枠、１５はレンズ鏡筒への装着用後枠、１６は押さえバネであり、前記円型フィルターレンズ基板１を内蔵する前枠１４の入射光側には他のアタッチメントを螺着可能な雌ネジ１７が螺設してあり、該前枠１４の外部側には、後枠１５への装着用雄ネジ１８が螺設されている。
【００４５】
また、後枠１５には、前記前枠１４と嵌合用の雌ネジ１９が螺設されており、該後枠１４のカメラレンズ鏡等側にはフィルター枠１３の装着用雄ネジ２０が螺設されている。
【００４６】
斯くして、本考案における光の透過量を調整するグラデーション加工を施した円形フィルターレンズ基板１は、デジタルカメラのレンズ鏡筒前面に着脱可能な二重枠タイプのフィルター枠１３内に装着され、該フィルター枠１３は円型フィルターレンズ基板１を内蔵する前枠１４とレンズ鏡筒への装着用後枠１５からなり、該円形フィルターレンズ基板１を内蔵する前枠１４はデジタルカメラのレンズ鏡筒前面に後枠１５を装着した後に前枠１４を回転させることでグラデーション加工位置の角度を変えることが可能となり、従来のＮＤフィルターではできなかったグラデーション画像が得られるデジタルカメラ用の減光フィルターを提供するものである。
【符号の説明】
【００４７】
１  円型フィルターレンズ基板
２ａ  黒色に着色した部分
２ｂ  蒸着被膜厚い部分
３ａ  灰色に着色した部分
３ｂ  蒸着被膜少し薄い部分
４ａ  中灰色に着色した部分
４ｂ  蒸着被膜より少し薄い部分
５ａ  淡灰色に着色した部分
５ｂ  蒸着被膜極めて薄い部分
６  フィルターレンズ基板の素通し部分
７  真空蒸着装置本体
８  真空ポンプ
９  バッフル
１０  蒸着材料用のルツボ
１１  スリットタイプのシャッター
１２  ホルダー
１３  フィルター枠
１４  前枠
１５  後枠
１６  押さえバネ
１７  雌ネジ
１８  雄ネジ
１９  雌ネジ
２０  フィルター枠装着用雄ネジ
【図１】
0003189042.tif 000003
【図２】
0003189042.tif 000004
【図３】
0003189042.tif 000005